(57)【要約】【課題】  収納部に形成される収納空間を小さくすることなく、電気器具のコード等の小物物品を収納するための小物収納凹部を設けたミラーキャビネットを提供すること。【解決手段】  側面部１７ａ，１７ｂ、縦仕切りリブ１８ａ，１８ｂ、棚部２１ａ，２１ｂ，２１ｃ等、底部１９ａおよび天井部１９ｂに仕切られて複数の収納空間が形成された収納部１５と、収納部１５の表面に設けられた開閉扉からなるミラー扉１６ａ，１６ｂ，１６ｃとをミラーキャビネット１０に設けた。そして、縦仕切りリブ１８ｂに小物収納凹部２４を設け、側面部１７ｂに小物収納凹部２５，２６を設けた。また、棚部２３ａにコンセント２７を設け、小物収納凹部２５をコンセント２７に接続して使用されるヘアドライヤー２８のコード２８ａを収納するために用いた。さらに、側面部１７ａ，１７ｂ、縦仕切りリブ１８ａ，１８ｂの厚みを奥側部分が表面側部分よりも肉厚になるようにした。【選択図】  図３
2007202963.tif 000002
【特許請求の範囲】
【請求項１】
仕切り部に仕切られて複数の収納空間が形成された収納部と、前記収納部の表面に設けられたミラーとを備えたミラーキャビネットであって、前記仕切り部に小物物品を収納するための小物収納凹部を設けたことを特徴とするミラーキャビネット。
【請求項２】
前記収納部の所定部分にコンセントを設け、前記小物収納凹部を前記コンセントに接続して使用される電気器具のコードを収納するために用いるようにした請求項１に記載のミラーキャビネット。
【請求項３】
前記仕切り部を、前記収納部の上下左右の各面を構成する枠部と、前記枠部の内部を左右に区切る縦仕切り部と、前記枠部と前記縦仕切り部との間および前記縦仕切り部を複数個設けたときには各縦仕切り部の間の所定部分を上下に区切る棚部とで構成して、前記枠部の左右に配置された側面部および前記縦仕切り部の厚みを奥側部分が表面側部分よりも肉厚になるように形成し、前記側面部および前記縦仕切り部の所定部分に前記小物収納凹部を設けた請求項１または２に記載のミラーキャビネット。
【請求項４】
前記側面部および前記仕切り部の所定部分に切欠き部を形成し、前記切欠き部に、前記小物収納凹部を構成する小物収納凹部形成部材を取り付けた請求項１ないし３のうちのいずれか一つに記載のミラーキャビネット。
【発明の詳細な説明】
【技術分野】
【０００１】
本発明は、複数の収納空間が形成された収納部と、収納部の表面に設けられたミラーとを備えたミラーキャビネットに関する。
【背景技術】
【０００２】
従来から、洗面所等には、ミラーやボウルが設けられた洗面化粧台が設けられている。このような洗面化粧台の中には、ミラー扉が表面に配置されその奥側に棚状の収納部が形成されたミラーキャビネットを備えたものがある（例えば、特許文献１参照）。
【特許文献１】特開平５−３０５０１２号公報
【発明の開示】
【０００３】
一般に、従来のミラーキャビネットでは、収納部の所定部分にコンセントが設けられ、ヘアドライヤー等の電気器具のプラグをコンセントに接続してその電気器具を使用することが行われている。このような場合、電気器具を使用しないときには、その電気器具のコードを電気器具本体に巻き付けて収納部内に収納し、電気器具を使用する際にはコードを延ばして使用している。このため、電気器具の使用が面倒になるという問題が生じている。また、頻繁に、コードを巻いたり延ばしたりするとプラグとコードとの接続部に切断等の故障が発生しやすくなるという問題もある。また、収納部に小物部品を収納するためには収納部を小さく区切って小さな収納空間を形成しなければならなくなり、ミラーキャビネットの形状が複雑になり製造が面倒になるという問題も生じる。
【０００４】
本発明は、前述した問題に対処するためになされたもので、その目的は、収納部に形成される収納空間を小さくすることなく、電気器具のコード等の小物物品を収納するための小物収納凹部を設けたミラーキャビネットを提供することである。
【０００５】
前述した目的を達成するため、本発明に係るミラーキャビネットの構成上の特徴は、仕切り部に仕切られて複数の収納空間が形成された収納部と、収納部の表面に設けられたミラーとを備えたミラーキャビネットであって、仕切り部に小物物品を収納するための小物収納凹部を設けたことにある。
【０００６】
これによると、小物物品を収納するための小物収納凹部を仕切り部に設けたため、収納部は大きく仕切って、ヘアドライヤー等の電気器具や、整髪用の化粧用品等を収納し、小物収納凹部に電気器具のコードや歯ブラシ等の小物物品を収納することができる。これによると、洗面所で使用される各器具や物品を効率よく収納することができ使い勝手がよくなる。また、小物収納凹部が設けられる仕切り部は縦方向に配置された部材でも水平方向に配置された部材であってもよい。
【０００７】
また、本発明に係るミラーキャビネットの他の構成上の特徴は、収納部の所定部分にコンセントを設け、小物収納凹部をコンセントに接続して使用される電気器具のコードを収納するために用いるようにしたことにある。
【０００８】
これによると、電気器具を使用しないときには、電気器具は収納部に形成された収納空間に収納し、コードは電気器具の本体に巻き付けることなく適当に丸める等して束ねて小物収納凹部に収納することができる。このため、プラグとコードとの接続部が頻繁に引っ張られて切断等の故障が発生するといったことを防止できる。
【０００９】
また、本発明に係るミラーキャビネットのさらに他の構成上の特徴は、仕切り部を、収納部の上下左右の各面を構成する枠部と、枠部の内部を左右に区切る縦仕切り部と、枠部と縦仕切り部との間および縦仕切り部を複数個設けたときには各縦仕切り部の間の所定部分を上下に区切る棚部とで構成して、枠部の左右に配置された側面部および縦仕切り部の厚みを奥側部分が表面側部分よりも肉厚になるように形成し、側面部および縦仕切り部の所定部分に小物収納凹部を設けたことにある。
【００１０】
これによると、側面部および縦仕切り部を補強用のリブとして利用できるため、ミラーキャビネットの強度が向上する。また、側面部および縦仕切り部の肉厚部分を利用して小物収納凹部を形成することができるため、小物収納凹部を形成するために、特にスペースを設ける必要がなくなり、ミラーキャビネットが大型化することを防止できる。
【００１１】
また、本発明に係るミラーキャビネットのさらに他の構成上の特徴は、側面部および仕切り部の所定部分に切欠き部を形成し、切欠き部に、小物収納凹部を構成する小物収納凹部形成部材を取り付けたことにある。これによると、例えば側面部や仕切り部が薄肉に形成されていても切欠き部を窓状に形成し、その窓状の切欠き部の周縁部を利用して小物収納凹部形成部材を取り付けることができるため、種々の厚みや形状の側面部や仕切り部に対して小物収納凹部を設けることができる。
【発明を実施するための最良の形態】
【００１２】
（第１実施形態）
以下、本発明の第１実施形態に係るミラーキャビネットを図面を用いて詳しく説明する。図１は、同実施形態に係るミラーキャビネット１０を備えた洗面化粧台Ｓを示している。この洗面化粧台Ｓは、洗面所に設置されて使用されるもので、下部側のベースキャビネット１１と、ベースキャビネット１１の上面に配置されたミラーキャビネット１０とで構成されている。ベースキャビネット１１は、内部に収納部（図示せず）が形成された箱状に構成され表面に収納部を開閉するための観音開き状の扉１２ａ，１２ｂが設けられている。
【００１３】
また、ベースキャビネット１１の上部には湯水を使用するためのボウル１３が設けられ、ベースキャビネット１１の上面におけるボウル１３の近傍にボウル１３に湯水を取り出すための水栓１４が設けられている。ミラーキャビネット１０は、図２および図３に示したように、中央内部に収納部１５が形成された棚状のキャビネットで構成され、表面に収納部１５を開閉するための扉としても使用される３個のミラー扉１６ａ，１６ｂ，１６ｃが設けられている。
【００１４】
収納部１５は、両側部を構成する側面部１７ａ，１７ｂと、側面部１７ａ，１７ｂ間に間隔を保って配置された２個の縦仕切りリブ１８ａ，１８ｂとで横３列の縦長部分に仕切られている。この場合、縦仕切りリブ１８ａ，１８ｂ間の幅は、側面部１７ａと縦仕切りリブ１８ａとの間の幅および縦仕切りリブ１８ｂと側面部１７ｂとの間の幅よりもやや大きくなるように設定されている。そして、縦仕切りリブ１８ａ，１８ｂ間の部分が、３個の棚部２１ａ，２１ｂ，２１ｃ、底部１９ａおよび天井部１９ｂによって上下４個の収納空間に区切られている。
【００１５】
また、側面部１７ａと縦仕切りリブ１８ａとの間の部分は、２個の棚部２２ａ，２２ｂ、底部１９ａおよび天井部１９ｂによって上下３個の収納空間に区切られている。さらに、縦仕切りリブ１８ｂと側面部１７ｂとの間の部分は、２個の棚部２３ａ，２３ｂ、底部１９ａおよび天井部１９ｂによって上下３個の収納空間に区切られている。側面部１７ａ，１７ｂは、互いの外側面が平行するように形成され、内側面はそれぞれ奥側から表面側に向って収納空間が広がるようにテーパ状に形成されている。したがって、側面部１７ａ，１７ｂの横断面形状は奥側部分の幅が大きく表面側部分の幅が小さい略台形状に形成されている。
【００１６】
また、縦仕切りリブ１８ａ，１８ｂは、ともに左右両側面が奥側から表面側に向って隣接する収納空間が広がるようにテーパ状に形成されており、縦仕切りリブ１８ａ，１８ｂの横断面形状は奥側部分の幅が大きく表面側部分の幅が小さい台形状に形成されている。そして、縦仕切りリブ１８ａ，１８ｂ間に上下に配置された棚部２１ａ，２１ｂ，２１ｃの各間隔のうち棚部２１ａ，２１ｂの間隔は他の間隔よりも大きく設定され、各収納空間のうち棚部２１ａ，２１ｂ間に形成された収納空間は、他の収納空間よりもやや大きくなるように形成されている。
【００１７】
また、棚部２２ａ，２２ｂ、底部１９ａおよび天井部１９ｂで形成される各収納空間および棚部２３ａ，２３ｂ、底部１９ａおよび天井部１９ｂで形成される各収納空間はそれぞれ略等しい大きさになるように、棚部２２ａ，２２ｂおよび棚部２３ａ，２３ｂは配置されている。そして、縦仕切りリブ１８ｂの縦仕切りリブ１８ａに対向する面における棚部２１ａ，２１ｂ間の部分に小物収納凹部２４が形成され、側面部１７ｂの縦仕切りリブ１８ｂに対向する面における底部１９ａと棚部２３ａとの間の部分に小物収納凹部２５が形成されている。また、側面部１７ｂの縦仕切りリブ１８ｂに対向する面における棚部２３ａ，２３ｂ間の部分に小物収納凹部２６が形成されている。
【００１８】
小物収納凹部２４は縦長の長方形の凹部で構成され、板状の小物等を立て掛けて収納することができる。また、小物収納凹部２５は、縦長の長方形の凹部の表面側下部に透明板からなる落下防止板２５ａが設けられた構成になっており、上部側の開口から小物を入れて下部側部分に収納できる。小物収納凹部２６は、縦長の長方形の凹部の表面側中央に水平方向に配置された落下防止柵２６ａが設けられた構成になっており、歯ブラシ等の棒状の小物を収納できる。
【００１９】
さらに、棚部２３ａの前面には、コンセント２７が設けられており、このコンセント２７に接続することによりヘアドライヤー２８等の電気器具を使用することができる。このヘアドライヤー２８は、小物収納凹部２５に隣接する収納空間に収納され、その収納の際ヘアドライヤー２８のコード２８ａは、先端部に接続されたプラグ２８ｂをコンセント２７に差し込んだままでも小物収納凹部２５に収納することができる。なお、コンセント２７は、収納部１５の裏面側に配置された電線（図示せず）を介して電源に接続されている。
【００２０】
また、ミラー扉１６ａ，１６ｂ，１６ｃのうちの中央に位置するミラー扉１６ａの幅は、収納部１５における縦仕切りリブ１８ａ，１８ｂ間の幅に対応する大きさに設定され、ミラー扉１６ｂ，１６ｃの幅よりもやや大きく設定されている。このミラー扉１６ａを開閉することにより、縦仕切りリブ１８ａ，１８ｂ間の各収納空間に整髪料等の化粧品や電気カミソリ等の電気器具等を収納したり、各収納空間に収納された物を取り出したりすることができる。また、ミラー扉１６ｂの幅は、収納部１５における側面部１７ａと縦仕切りリブ１８ａとの間の幅に対応する大きさに設定され、このミラー扉１６ｂを開閉することにより、側面部１７ａと縦仕切りリブ１８ａとの間の各収納空間に所定の物を収納したり、各収納空間に収納された物を取り出したりすることができる。
【００２１】
そして、ミラー扉１６ｃの幅は、収納部１５における縦仕切りリブ１８ｂと側面部１７ｂとの間の幅に対応する大きさに設定され、このミラー扉１６ｃを開閉することにより、縦仕切りリブ１８ｂと側面部１７ｂとの間の各収納空間に所定の物を収納したり、各収納空間に収納された物を取り出したりすることができる。なお、側面部１７ａ，１７ｂおよび縦仕切りリブ１８ａ，１８ｂで本発明の縦仕切り部が構成され、側面部１７ａ，１７ｂ、縦仕切りリブ１８ａ，１８ｂ、棚部２１ａ，２１ｂ，２１ｃ，２２ａ，２２ｂ，２３ａ，２３ｂ，底部１９ａおよび天井部１９ｂで本発明の仕切り部が構成される。
【００２２】
このように構成したため、ひげを剃る場合には、ミラー扉１６ａ，１６ｂ，１６ｃのうちの電気カミソリまたはカミソリが収納された部分に対応するもの、例えばミラー扉１６ａを開けて、電気カミソリまたはカミソリを取り出したのちに、ミラー扉１６ａを閉じて、ミラー扉１６ａ，１６ｂ，１６ｃに顔を映しながらひげを剃る。
【００２３】
また、入浴後等に濡れた頭髪を乾かす際には、ミラー扉１６ｃを開け、ヘアドライヤー２８の本体部分を取り出して、ミラー扉１６ａ，１６ｂに頭を映しながらヘアドライヤー２８で頭髪を乾かす。そして、ヘアドライヤー２８の使用が終了すると、コード２８ａを束ねて小物収納凹部２５に収納し、ヘアドライヤー２８の本体部分は、小物収納凹部２５に隣接する収納空間に収納しておく。また、整髪をする場合も、ミラー扉１６ａ，１６ｂ，１６ｃのうちの所定のものを開閉する等、前述した操作と同様の操作により、所定の整髪料等を取り出して整髪を行う。
【００２４】
このように、本実施形態に係るミラーキャビネット１０では、収納部１５を、側面部１７ａ，１７ｂ、縦仕切りリブ１８ａ，１８ｂ、棚部２１ａ，２１ｂ，２１ｃ，２２ａ，２２ｂ，２３ａ，２３ｂ、底部１９ａおよび天井部１９ｂによって区切られた複数の収納空間に形成するとともに、縦仕切りリブ１８ｂに小物収納凹部２４を形成し、側面部１７ｂに小物収納凹部２５，２６を形成している。このため、各収納空間には、ヘアドライヤー２８等の電気器具や、整髪用の化粧用品等の比較的大きなものを収納することができ、小物収納凹部２４，２５，２６にヘアドライヤー２８のコード２８ａや歯ブラシ等の小物物品を収納することができる。これによると、洗面所で使用される各器具や物品を効率よく収納することができる。
【００２５】
さらに、側面部１７ａ，１７ｂおよび縦仕切りリブ１８ａ，１８ｂは、奥側部分の幅が大きく表面側部分の幅が小さく形成されているため補強用のリブとして利用でき、ミラーキャビネット１０の強度を向上させることができる。
【００２６】
（第２実施形態）
図４は、本発明の第２実施形態に係るミラーキャビネットが備える小物収納凹部３１を示している。この小物収納凹部３１は、側面部３２に形成された切欠き部３３内に小物収納凹部形成部材３４を取り付けることによって形成されている。すなわち、側面部３２は内部が空間部３２ａに形成された中空の板体で構成され、その内側面に切欠き部３３が形成されている。そして、切欠き部３３の周縁部に四角箱状の小物収納凹部形成部材３４を開口を表面側に向けた状態で取り付けており、この小物収納凹部形成部材３４の内部で小物収納凹部３１が構成されている。このミラーキャビネットのそれ以外の部分の構成については前述した第１実施形態のミラーキャビネット１０と同一である。
【００２７】
これによると、側面部３２のように、仕切り部が中空の板体で構成されていても小物収納凹部３１を形成することができる。また、この場合の小物収納凹部形成部材３４および小物収納凹部３１の形状は任意の形状にすることができる。さらに、側面部が中空でなく薄肉の１枚の板体で構成されていても小物収納凹部形成部材３４を取り付けることができるため、小物収納凹部３１の形成が可能になる。このミラーキャビネットのそれ以外の作用効果は前述した第１実施形態のミラーキャビネット１０と同様である。
【００２８】
また、本発明に係るミラーキャビネットは、前述した実施形態に限定するものでなく、適宜、変更して実施することが可能である。例えば、前述した実施形態では、３個のミラー扉１６ａ，１６ｂ，１６ｃが設けられているが、頻繁に使用するものが収納された収納空間に対応する部分に取り付けられた、例えばミラー扉１６ｃ等は省略することもできる。また、ミラー扉１６ｂも省略して、ミラー扉１６ａだけを設けることもできる。さらに、前述した実施形態では、小物収納凹部を縦方向に配置された側面部や縦仕切りリブに設けているが、この小物収納凹部は、水平方向に配置された棚部等に設けることもできる。この場合、小物収納凹部の開口に薄い透明板等からなる蓋部材を取り付けることが好ましい。
【図面の簡単な説明】
【００２９】
【図１】本発明の第１実施形態に係るミラーキャビネットを備えた洗面化粧台を示した斜視図である。
【図２】ミラーキャビネットを示した正面図である。
【図３】ミラーキャビネットの内部を示した正面図である。
【図４】本発明の第２実施形態のミラーキャビネットが備える小物収納凹部を示した断面図である。
【符号の説明】
【００３０】
１０…ミラーキャビネット、１５…収納部、１６ａ，１６ｂ，１６ｃ…ミラー扉、１７ａ，１７ｂ，３２…側面部、１８ａ，１８ｂ…縦仕切りリブ、１９ａ…底部、１９ｂ…天井部、２１ａ，２１ｂ，２１ｃ，２２ａ，２２ｂ，２３ａ，２３ｂ…棚部、２４，２５，２６，３１…小物収納凹部、２７…コンセント、２８…ヘアドライヤー、２８ａ…コード、２８ｂ…プラグ、３３…切欠き部、３４…小物収納凹部形成部材。
【図１】
2007202963.tif 000003
【図２】
2007202963.tif 000004
【図３】
2007202963.tif 000005
【図４】
2007202963.tif 000006